(57)【要約】【課題】スノーボードの利用者の個体特性に適合するバインディング取り付け設定装置及びその方法の提供。【解決手段】スノーボードの利用者の左右両足の旋回動作能力を測定してバインディングの取り付け条件を設定可能とした装置であって、基台上に利用者の左右両足を個別的に搭乗可能とした一組の回転ディスクを設けると共に、この回転ディスクの旋回量を検知する角度センサを配設し、操作指令部によってオーダーされる電子計算機等の情報処理手段に前記旋回量を報知可能とし、情報処理手段に装備させたデータ処理手段によってバインディングの設定状況を決定可能としたスノーボードにおけるバインディングの設定装置。【選択図】        図３
2005013550.tif 000002
【特許請求の範囲】
【請求項１】
スノーボードの利用者の左右両足の旋回動作能力を測定してバインディングの取り付け条件を設定可能とした装置であって、基台上に利用者の左右両足を個別的に搭乗可能とした一組の回転ディスクを設けると共に、この回転ディスクの旋回量を検知する角度センサを配設し、操作指令部によってオーダーされる電子計算機等の情報処理手段に前記旋回量を報知可能とし、情報処理手段に装備させたデータ処理手段によってバインディングの設定状況を決定可能としたスノーボードにおけるバインディングの設定装置。
【請求項２】
前記情報処理手段に身体データ入力部から利用者の個人情報を入力させてバインディングの設定状況を決定可能とした請求項１記載のスノーボードにおけるバインディングの設定装置。
【請求項３】
スノーボードの利用者のバランス能力を検出してバイディングを設定可能とした装置であって、長手方向の略中央部下側に延設した支持手段により、高さ方向に動揺可能にしたバランスボードの上側に、利用者の左右両足を個別的に搭乗可能とした一組の測定ディスクを旋回自在に配設すると共に、当該バランスボードの長手方向下面にバランスボードの下面の傾動状態を検知する検出手段を配備させてなるスノーボードにおけるバインディングの設定装置。
【請求項４】
前記検出手段による検出情報に基づいて、利用者に最適のスタンスを設定可能な手段を備えた電子計算機等の情報処理手段を設けた請求項３記載のスノーボードにおけるバインディングの設定装置。
【請求項５】
スノーボードにおけるバインディングの取り付け方法であって、前記請求項３又は４の設定装置のバランスボードに設けた測定ディスクに利用者をその両足で搭乗させ、バランスボードの傾動状況を検出手段で測定し、当該検出手段による最長非検出期間に基づいて、情報処理手段においてスタンス角度を設定し、利用者個有のスタンスを決定してスノーボードにバインディングの取り付け方法。
【請求項６】
請求項１乃至４の装置によって、利用者の個体特性に適合したスノーボードにおけるバインディングの設定方法であって、次の手順を特徴とする方法。
（１）  利用者の身長・体重・年齢・性別等の個人情報を情報処理手段に入力する。
（２）  請求項１乃至４の設定装置により、利用者の最適スタンスを決定して、前記情報処理手段に入力する。
（３）  前記（１）、（２）のデータに基づいて、前記情報処理手段におけるデータ処理手段において利用者に最適のセッティングスタイル、スタンス巾、センター角度、セッティングスタンス角度もしくは前後足の角度等を前記情報処理手段により出力する。
（４）  前記スノーボードに前記データに基づいてバインディングを取り付ける。
【請求項７】
請求項６によって、利用者の個体特性に適合したバインディングを装備させたスノーボードのレンタル方法であって、請求項６の（１）乃至（４）の手順を行った後、このスノーボードを利用者に貸与するレンタル方法。
【請求項８】
請求項６における手順（３）において、少なくとも利用者の左右足外転角を比較して利用者のセッティングスタイルを決定するようにした請求項６又は７記載の方法。
【請求項９】
請求項６における手順（３）において、少なくとも利用者の体重と標準体重を比較して体重補正値を決定し、利用者のスタンス巾を決定するようにした請求項６又は７記載の方法。
【請求項１０】
請求項６における手順において、少なくとも利用者の身長と基準身長を比較して身長補正値を決定し、利用者のスタンス巾決定するようにした請求項６又は７記載の方法。
【請求項１１】
請求項６における手順（３）において、少なくとも利用者の年齢により年齢補正値を決定し、利用者のスタンス巾を決定するようにした請求項６又は７記載の方法。
【請求項１２】
請求項６における手順（３）において、少なくとも利用者の性別により、利用者のスタンス巾を決定するようにした請求項６又は７記載の方法。
【請求項１３】
請求項６における手順（３）において、少なくとも利用者の左右足内外転角を比較して利用者のセンター角度を決定するようにした請求項６又は７記載の方法。
【請求項１４】
請求項６における手順（３）において、少なくとも利用者の左右足外転角を比較して利用者のセッティングスタイルを決定し、セッティングスタンス角度を決定するようにした請求項６又は７記載の方法。
【請求項１５】
請求項６における手順（３）において、少なくとも利用者の前後足角度を算出して利用者の前後足角度を決定するようにした請求項６又は７記載の方法。
【請求項１６】
請求項６における手順（３）において、少なくとも利用者のバランス能力を判定して利用者のセッティング角度を決定するようにした請求項６又は７記載の方法。
【発明の詳細な説明】
【０００１】
【発明の属する技術分野】
この発明は、スノーボードを購入し、もしくは貸与を受けて利用する利用者自身の体格や運動機能等の特性に適合した最適なバインディングの取り付け方法とバインディングの位置等の設定装置の技術分野に属するものである。
【０００２】
【従来の技術】
近年、ウインタースポーツの一種として人気の高いスノーボードの利用者は若年層を中心に増加し続けている。
【０００３】
一方、その利用者間にあって、未熟な使用技術や、スノーボードの選定ミス等の要因から、事故の発生も懸念されている。
【０００４】
一般的にスノーボードスポーツにおいて、その使用技術の向上のためには、インストラクターによる指導が普及しているが、利用者に適合するスノーボードの選定に際しては、利用者自身が価格を意識しつつ、インストラクターや運動用具の販売店の相談員からアドバイスを受け、そのスノーボードを試用し、利用者自身の体感度や好み等から概ね感能的に評価し、選定を決断しており、必ずしも利用者自身の特性、例えば身体的特徴、運動能力度、運動技能度等を考慮して科学的で理論的な観点で選定されてはいないのが実態であった。
【０００５】
殊に、スノーボードの選定と同様に重要なバイディングの設置に当たっても、前記と同様に経験的に実施されており、必ずしも科学的でも理論的でもなかった。
【０００６】
例えば、従来、自己のスノーボードにバイディングを装備させる場合や、レンタルショップで貸与を受ける場合等でも、通常、次のような手順でスタンスを決定していた。
【０００７】
即ち、
◎  利用者が後ろから他人に背中を押してもらい、先に出た側の足をスノーボードの前足とする。
◎  利用者に滑り易い廊下を歩くようにすり足で歩かせ、その時の前足をスノーボードの前足とする。
◎  利用者が両足を閉じてジャンプし、足が地面につく瞬間に無意識に足を前後させ、その時の前足をスノーボードの前足にする。
等があるが、無意識的にこれを実施することは必ずしも容易ではなく、客観的な前足の決定は保障し難いものであった。
【０００８】
更に、左足の足のセッティング角度を決定するには、現状では利用者の個体差を無視して使用者の体感を主体として、例えば、左足１５度、右足０度とか、左足２１度、右足９度というように格別の根拠もなく取り付けられている。
【０００９】
このため、未熟練者には使用による疲労感が大きく、更には怪我の原因ともなっていた。
【００１０】
又、レンタルショップで貸与を受ける使用者の場合には、ほとんどは、初めて滑る人から滑走歴３〜４回以下という人が大半を占めているため、予めスノーボードに取り付けられたバイディングのスタンス巾等に対して疑念も持たずにこれを使用することとなり、この取り付けが利用者に不適合な場合には技術力の向上が望めないばかりでなく、重大な負傷等の事故のおそれがあった。
【００１１】
例えば、利用者がスノーボードをレンタル（貸与）する場合には、一般的には次のＸ１〜Ｘ４の手順が行われていた。
【００１２】
Ｘ１…申込書に身長、体重、ブーツのサイズ、技術レベル（初、中、上）の申告をする。
Ｘ２…レンタル業者が経験的に身長から１０ｃｍ〜１５ｃｍ短い長さのスノーボードを選定。
Ｘ３…◎  利用者のヒヤリングでレギュラーもしくはグッフィの形式を決定する。
◎  業者の経験により、バイディング角度の決定。
Ｘ４…貸し出し。
【００１３】
この場合、殆どレンタル業者の経験と利用者の好みによって決定されるため、科学的でも理論的でもないのが実状であった。
【００１４】
このような実状に対応するため、本出願人は先に特開平０７−１９４７５８で開示した発明を提唱している。
【００１５】
即ち、この発明によれば、利用者の股関節の可動範囲に科学的に適合するようにスノーボードにバインディングを設置できるものである。
【００１６】
従って、利用者は、安全にスノーボードスポーツを楽しめるだけなく、その操作技術を急速に向上させることができるものである。
【００１７】
【発明が解決しようとする課題】
この発明によって解決しようとする各課題点は次の通りである。
【００１８】
この発明が解決しようとする第１の課題点は、利用者の体格等の身体的特徴や年齢、性別等の条件に最適の状態でスノーボード上にバインディングを設定しうるものを提供することである。
【００１９】
この発明が解決しようとする第２の課題点は、利用者の運動バランス能力に適合したバインディングの設定を可能としたものを提供することである。
【００２０】
この発明が解決しようとする第３の課題点は、利用者のセッティングスタイル、センター角度、スタンス巾、セッティングスタンス角度もしくは前後足の角度を決定してスノーボード上にバインディングを最適状態に装備させうるものを提供することである。
【００２１】
この発明が解決しようとする第４の課題点は、利用者に最適な状態にスノーボード上にバイディングを装備させて、快適で怪我のおそれがなく、スノーボーディング技能を効果的に向上させることができるものを提供することである。
【００２２】
【課題を解決するための手段】
前記の課題を解決する手段として次の発明が挙げられる。
【００２３】
（１）  スノーボードの利用者の左右両足の旋回動作能力を測定してバインディングの取り付け条件を設定可能とした装置であって、基台上に利用者の左右両足を個別的に搭乗可能とした一組の回転ディスクを設けると共に、この回転ディスクの旋回量を検知する角度センサを配設し、操作指令部によってオーダーされる電子計算機等の情報処理手段に前記旋回量を報知可能とし、情報処理手段に装備させたデータ処理手段によってバインディングの設定状況を決定可能としたスノーボードにおけるバインディングの設定装置。
（２）  前記情報処理手段に身体データ入力部から利用者の個人情報を入力させてバインディングの設定状況を決定可能とした前記（１）記載のスノーボードにおけるバインディングの設定装置。
（３）  スノーボードの利用者のバランス能力を検出してバイディングを設定可能とした装置であって、長手方向の略中央部下側に延設した支持手段により、高さ方向に動揺可能にしたバランスボードの上側に、利用者の左右両足を個別的に搭乗可能とした一組の測定ディスクを旋回自在に配設すると共に、当該バランスボードの長手方向下面にバランスボードの下面の傾動状態を検知する検出手段を配備させてなるスノーボードにおけるバインディングの設定装置。
（４）  前記検出手段による検出情報に基づいて、利用者に最適のスタンスを設定可能な手段を備えた電子計算機等の情報処理手段を設けた前記（３）記載のスノーボードにおけるバインディングの設定装置。
（５）  スノーボードにおけるバインディングの取り付け方法であって、前記（３）又は（４）の設定装置のバランスボードに設けた測定ディスクに利用者をその両足で搭乗させ、バランスボードの傾動状況を検出手段で測定し、当該検出手段による最長非検出期間に基づいて、情報処理手段においてスタンス角度を設定し、利用者個有のスタンスを決定してスノーボードにバインディングの取り付け方法。
（６）  前記（１）乃至（４）の装置によって、利用者の個体特性に適合したスノーボードにおけるバインディングの設定方法であって、次の手順を特徴とする方法。
▲１▼  利用者の身長・体重・年齢・性別等の個人情報を情報処理手段に入力する。
▲２▼  前記（１）乃至（４）の設定装置により、利用者の最適スタンスを決定して、前記情報処理手段に入力する。
▲３▼  前記▲１▼、▲２▼のデータに基づいて、前記情報処理手段におけるデータ処理手段において利用者に最適のセッティングスタイル、スタンス巾、センター角度、セッティングスタンス角度もしくは前後足の角度等を前記情報処理手段により出力する。
▲４▼  前記スノーボードに前記データに基づいてバインディングを取り付ける。
（７）  前記（６）によって、利用者の個体特性に適合したバインディングを装備させたスノーボードのレンタル方法であって、前記（６）の▲１▼乃至▲４▼の手順を行った後、このスノーボードを利用者に貸与するレンタル方法。
（８）  前記（６）における手順▲３▼において、少なくとも利用者の左右足外転角を比較して利用者のセッティングスタイルを決定するようにした前記（６）又は（７）記載の方法。
（９）  前記（６）における手順▲３▼において、少なくとも利用者の体重と標準体重を比較して体重補正値を決定し、利用者のスタンス巾を決定するようにした前記（６）又は（７）記載の方法。
（１０）  前記（６）における手順において、少なくとも利用者の身長と基準身長を比較して身長補正値を決定し、利用者のスタンス巾決定するようにした前記（６）又は（７）記載の方法。
（１１）  前記（６）における手順▲３▼において、少なくとも利用者の年齢により年齢補正値を決定し、利用者のスタンス巾を決定するようにした前記（６）又は（７）記載の方法。
（１２）  前記（６）における手順▲３▼において、少なくとも利用者の性別により、利用者のスタンス巾を決定するようにした前記（６）又は（７）記載の方法。
（１３）  前記（６）における手順▲３▼において、少なくとも利用者の左右足内外転角を比較して利用者のセンター角度を決定するようにした前記（６）又は（７）記載の方法。
（１４）  前記（６）における手順▲３▼において、少なくとも利用者の左右足外転角を比較して利用者のセッティングスタイルを決定し、セッティングスタンス角度を決定するようにした前記（６）又は（７）記載の方法。
（１５）  前記（６）における手順▲３▼において、少なくとも利用者の前後足角度を算出して利用者の前後足角度を決定するようにした前記（６）又は（７）記載の方法。
（１６）  前記（６）における手順▲３▼において、少なくとも利用者のバランス能力を判定して利用者のセッティング角度を決定するようにした前記（６）又は（７）記載の方法。
【００２４】
以上の如き解決手段によれば、前記の課題を解決できるばかりでなく、有効に発明の効果をも達成できるものである。
【００２５】
【発明の実施の形態】
この発明の内容を図面を参照して次の手順で説明する。
１．股関節の旋回機能測定装置（スタンサー）。
２．身体のバランス能力測定装置（バランサー）。
３．バインディングの取り付け方法。
４．スノーボードのレンタル方法。
５．実用上の論拠の説明
【００２６】
１．股関節の運動機能測定装置１００（スタンサー）
図１及び図２に示す、このスタンサー１００は、基台１１０上に利用者が横向きで左右両足を搭乗させることができる一組の回転ディスク１２０、１３０の支持軸１２１、１３１を図２の矢印Ａ、Ｂ方向に自由に回転可能に取り付けている。
【００２７】
又、この支持軸１２１、１３１の旋回角度を検出しうる角度センサ１４０、１５０が基台１１０に配備されている。
【００２８】
更に、前記角度センサ１４０、１５０は、その角度情報をコンピュータ等の情報処理手段（Ｃ．Ｐ．Ｕ）１６０に伝送しうるように連係されている。
【００２９】
又、前記Ｃ．Ｐ．Ｕ１６０には股関節の可動範囲の計算を実行するばかりでなく、その可動中心位置を決定する機能を有する特定手順のデータ処理手段を内蔵しており、その情報をプリンタ１７０によりプリントアウトできるように構成されている。
【００３０】
尚、図１において１８０は、身長等、利用者の個体の特徴を入力する身体データ入力部１９０は操作指令部である。
【００３１】
このスタンサー１００の機能については後述する。
【００３２】
２．身体のバランス能力測定装置２００（バランサー）
図３及び図４に示す、バランサー２００は、利用者の身体のバランス能力を測定する装置であって、支持枠２１０上にスノーボードに類似した外形状のバランスボード２２０をボールジョイント２３０を介装して配置したものである。
【００３３】
即ち、支持枠２１０の中央部上にボールジョイント２３０のソケット２３１を固設し、このソケット２３１内に自在に旋回可能にボール部２３２を装着すると共に、このボール部２３２に延設されたステム２３３を前記バランスボード２２０の下面に固着している。
【００３４】
又、前記ボールジョイント２３０の両側方の支持枠２１０には一組の安定具２４０、２５０を配設している。
【００３５】
この安定具２４０、２５０にはプランジャー２４１、２５１がモータ２６０により矢印Ｃ、Ｄ方向に昇降可能に装着されていて、必要に応じてバランスボード２２０の下面を支持して、その動揺の安定化を図ることができるものであるが、その詳細については後述する。
【００３６】
次に、バランスボード２２０の上面には、利用者がその両足を搭乗させることができる一組の測定ディスク２７０、２８０を軸体２７１、２８１を中心に回動可能に設けると共に、その両側縁近傍の下面には一組のタッチセンサー２９１、２９２が設けられ、バランスボード２２０の傾倒運動によって支持枠２１０に接触可能とされており、その接触情報は、コンピュータ等の情報処理手段（Ｃ．Ｐ．Ｕ）３００に報知されるように構成されている。
【００３７】
更に、このＣ．Ｐ．Ｕ３００には、タッチセンサ２９１、２９２の情報が発生した際の前記測定ディスク２７０、２８０の旋回角度により、バイディングの最適スタンス角度として内蔵されたデータ処理手段により算出しうる機能を備えており、プリンタ３１０によりプリントアウトできるように構成されている。
【００３８】
尚、図３中、３２０は利用者の身長等の個体の特徴を入力する身体データ入力部、３３０は操作指令部であり、４００は支持枠２１０に取り付けた利用者の転倒を防止するための安全杆である。
【００３９】
このバランサー２００の機能についても後述する。
【００４０】
３．バイディングの取り付け方法
以上説明した装置を利用してバインディングを適切に取り付ける方法について、スノーボードを購入する場合を例にとって図１〜図４を参照して説明する。
【００４１】
［１］  購入手順
スノーボード購入の際には、利用者は事前に自己の個体特性に適合するバイディングの設定（セッティング）の情報を次の手順によって販売店（ショップ）で係員の指示に従って確認し、係員は操作指令部１９０から所望の出力を要求するようＣ．Ｐ．Ｕ１６０のオーダーする（以下Ｃ．Ｐ．Ｕ１６０もしくは３００のオーダーは操作指令部１９０もしくは３３０により各手順に共通するので省略する）。
【００４２】
Ａ．スタンサー１００による股関節の旋回能力に応じたバインディングのセッティング条件を次のＳ１〜Ｓ５の手順により決定
Ｓ１…  利用者は、スタンサー１００の回転ディスク１２０、１３０上に横向き（スタンサー１００の短手方向）に両足で起立する（旋回角度＝０）。
Ｓ２…  操作指令部１９０でＣ．Ｐ．Ｕ１６０に支持した後、左右の足を図２における矢印Ａ、Ｂ方向に自力で無理をしない程度に旋回させ、角度センサー１４０、１５０により股関節の最大回転角度を計測する。
Ｓ３…  Ｓ２によって計測された角度データをＣ．Ｐ．Ｕ１６０に伝送すると、内蔵されたデータ処理手段により股関節の可動角度と、その中心位置が決定される。
図２の図示例の場合では、左足の可動角度は２０度プラス１０度で合計３０度であり、右足については１０度プラス１０度で合計２０度あるため、左足を前足とするのが望ましい。
又、可動中心位置は、左足が反時計方向に１０度、右足については０度（短手方向正面）であることが判明する。
Ｓ４…  これによって、可動角度の大きい側の足をスノーボードを横乗り（サイドウェスタンス）の際の前足とする（詳細は５項で後述する）。
即ち、右足が左足よりセンター位置が外の場合には、スタンスは「レギュラー」形式が望ましく、右足がセンター角度の外となる場合には、スタンスとしては「グーフィー」形式が望ましい。
これにより、利用者に最適のスタンスが決定される。
Ｓ５…  次いで、利用者の身長や体重等の個体情報を身体データ入力部１８０からＣ．Ｐ．Ｕ１６０に入力することにより、左右の足の間隔（スタンス巾）が決定され、プリンタ１７０によりプリントアウトされる。
【００４３】
以上の手順によって、スノーボードの短手方向に関するバイディングの適切なセッティング角度が得られ、又、スタンス巾も決定されるので、これによって利用者の個体特性に適合したバイディングのセッティングができるものである。
【００４４】
以上の手順によって利用者は科学的に自己の身体特性に適したバイディングを購入できるものである。
【００４５】
Ｃ．Ｐ．Ｕ１６０に内蔵するデータ処理手段については５項で後述する。
【００４６】
Ｂ．バランサー２００によるバランス能力から見たセッティング条件は次のＳＳ１〜ＳＳ５の手順で決定
利用者のバランス能力も安全なスノーボーディングに不可欠の要素である。
この利用者のバランス能力を測定するには、次の手順によるものである。
ＳＳ１…  予めバランサー２００のプランジャー２４１、２５１をモーター２６０により矢印Ｃ方向に上昇させてバランスボード２２０を水平状に静止させた状態で、利用者は安全杆４００を把持して両足を測定ディスク２７０、２８０上に横向き（スノーボードの短手方向）に搭乗する。
ＳＳ２…  次に、プランジャー２４１、２５１を矢印Ｄ方向に下降させてバランスボード２２０を解放する。
これによって、バランスボード２２０は、ボールジョイント２３０を支点として動揺する不安定な状態となる。
ＳＳ３…  利用者は安全杆４００から手を離し、測定ディスク２７０、２８０は３６０度に自由に回転するため、利用者は両足で測定ディスク２７０、２８０を旋回させながらバランスを維持することとなる。
この状態が続くとバランスを失いバランスボード２２０が傾動し、遂にはタッチセンサー２９１もしくは２９２が支持枠２１０に当接する。
即ち、利用者にとって最も好ましい角度状態に測定ディスク２７０、２８０が指向していると、バランスボード２２０が傾動する動作が遅くなるのであり、この場合の測定ディスク２７０、２８０の指向する角度が利用者にとって最適のバインディングの取り付け角度と言える。
従って、この際の接触情報がＣ．Ｐ．Ｕ３００に伝送され、同時に測定ディスク２７０、２８０の旋回角度データもＣ．Ｐ．Ｕ３００に伝送されるので、Ｃ．Ｐ．Ｕ３００のデータ処理手段において最も長時間（遅く）接触した際の角度をもってスタンス角度を設定する。
ＳＳ４…  次いで、利用者の身長や体重等の個体情報を身体データ入力部３２０からＣ．Ｐ．Ｕ３００に入力させ、内蔵されたデータ処理手段により総合的に最適のスタンスの種類やスタンス巾並びに、セッティング角度が算出されてプリンタ３１０からプリントアウトされる。
ＳＳ５…  測定作業終了後は、モータ２６０を始動してプランジャー２４１、２５１を矢印Ｃ方向に上昇させてバランスボード２２０を水平状に固定させて、利用者の転倒を安全に防止できるものである。
【００４７】
これにより、利用者は自己のバランス能力に適合するスタンスでスノーボードにバインディングを設置してもらって購入できるものである。
【００４８】
Ｃ．Ｐ．Ｕ３００に内蔵するデータ処理手段の機能については５項において後述する。
【００４９】
４．スノーボードのレンタル方法
［１］  貸与手順
従来技術の項において説明したレンタル手順を改善したレンタル手順をＴ１〜Ｔ７により説明するが、前項で説明した購入の際の手順と共通している部分については、その旨表示するに止めて以下に説明する。。
Ｔ１…  利用者は、レンタル業者に少なくとも、身長、体重、ブーツサイズ及び技術レベルを申告する。
Ｔ２…  レンタル業者は、Ｔ１のデータをコンピュータ等の情報処理手段３００に入力する。
Ｔ３…  レンタル業者はスタンサー及びバランサーにより、利用者のスタンスの測定を行い（前記の手順Ｓ１〜ＳＳ５参照）、Ｃ．Ｐ．Ｕ３００に入力する。
Ｔ４…  Ｃ．Ｐ．Ｕ３００では、内蔵するデータ処理手段により、利用者に最適のスタンスを決定し、そのデータをプリンタ３１０によりプリントアウトする。
Ｔ５…  前記のデータに基づいて業者は最適のボードを選定する。
Ｔ６…  選定されたボードに前記のデータに整合するスタンスの種類、セッティング角度、スタンス巾等でバインディングをボードに取り付ける。
Ｔ７…  用具一式を利用者に貸与する。
【００５０】
５．実用上の論拠の説明
次に、以上説明したこのスタンサー１００並びにバランサー２００による利用者の最適なスタンスの設定に際しての実測結果から結論付けられるその理論に基づく内蔵するデータ処理手段とその機能について図５〜図９を参照して説明すると次の通りである。
【００５１】
尚、以下に呈示する計算式等は、いずれも数多くの統計データを集計し、分析して得られた経験的な数式である。
【００５２】
１．スタンサーによる場合
即ち、図５に示すように予め利用者に身長、体重、年齢、性別及び好みのライディングスタイル（スノーボードの乗り方等の個人情報について自己申告させ、必要に応じてはオペレータにより計測してそのデータをＣ．Ｐ．Ｕ１６０に入力する（Ａ１）。
【００５３】
［１］セッティングスタイル（スノーボードに搭乗する乗り方）ＳＴを手順Ｋ１〜Ｋ３により決定
統計データに基づけば、セッティングスタイルＳＴは利用者の左右足の外転角の比較によることが判明したので、次の手順でこれを決定した。
【００５４】
Ｋ１．スタンサー１００により利用者の左右の足の内転（内向き）角、及び外転（外向き）角を測定してＣ．Ｐ．Ｕ１６０に入力する。
【００５５】
Ｋ２．Ｃ．Ｐ．Ｕ１６０に記憶済みの角度比較式に基づいてセッティングスタイルを選定する。
例えば、次の通りである。
レギューラースタイル＝左足外転角＞右足外転角
グーフィースタイル＝左足外転角＜右足外転角
マルチスタイル＝左足外転角＝右足外転角
【００５６】
この場合、内外転角とは利用者が足を内向きもしくは外向きに旋回させた際の角度である。
【００５７】
Ｋ３．セッティングスタイルの決定。
【００５８】
［２］スタンス巾（左右の足の間隔）ＳＳを手順Ｌ１〜Ｌ７で決定（図６）
好適なスタンス巾ＳＳについては、利用者の体重ＰＷと身長ＰＨとが関係することが実測もしくは申告されているので、この経験に基づいて次の手順でこれを決定した。
【００５９】
Ｌ１．前記Ａ１の手順に続いて、利用者の体重Ｗと標準体重ＳＷとをＣ．Ｐ．Ｕ１６０で比較式で比較し、標準体重ＳＷ以下の場合は体重補正値αを零とし、それ以上の場合には実験式に基づいて体重補正値αをＣ．Ｐ．Ｕ１６０において算出する。
【００６０】
例えば、
α＝Ｗ−ＳＷ／Ａ１（Ａ１は２以上で８以下）
の式によって体重補正値αを算出する
【００６１】
Ｌ２．この場合、標準体重ＳＷを６０ｋｇとして好ましい結果が得られた。
【００６２】
Ｌ３．次に身長ＰＨについてみれば、基準身長ＳＨと利用者の身長ＰＨとの関係は実験的に次のことが明らかである。
【００６３】
ＰＨ≦ＳＨ…ＳＳ＝Ｂ１＋α（Ｂ１は２５ｃｍ以上）
１５０≦ＰＨ…ＳＳ＝ＰＨ−Ｂ２＋α（Ｂ２は１１５ｃｍ以上で１２５ｃｍ以下）
この場合、身長補正値βは次の数式による。
β＝−１２０＋Ｂ３
但し、Ｂ３はＰＨが１０ｃｍ増える毎に１．０１Ｂ１、１．０２Ｂ２のように等差状に増大。
【００６４】
これにより、身長補正値βが仮決定される（Ｌ４）。
【００６５】
従って、例えば次の如くとなる。
１５０≦ＰＨ≦１５２…ＳＳ＝ＰＨ−１２０＋α
１５３≦ＰＨ≦１５５…ＳＳ＝ＰＨ−１２２＋α
１８７≦ＰＨ…ＳＳ＝ＰＨ−１４６＋α
【００６６】
Ｌ５．次に、Ｃ．Ｐ．Ｕ１６０において入力済みの利用者の年齢ｙに応じてスタンス巾Ｗの年齢補正値γを算出する。
【００６７】
例えば、
ｙ≦２９        …  γ＝Ｃ１
３０≦ｙ≦３９  …  γ＝Ｃ１＋１ｃｍ
４０≦ｙ≦４９  …  γ＝Ｃ１＋２ｃｍ
５０≦ｙ        …  γ＝Ｃ１＋３ｃｍ
とする。
この場合、Ｃ１は０以上５以下である。
【００６８】
Ｌ６．Ｃ．Ｐ．Ｕ１６０のデータ処理手段において、この年齢補正値γをＬ１で算出済みの体重補正値α並びに身長補正値βとを加味して、最終的にスタンス巾ＳＳを決定する（Ｌ７）。
【００６９】
［３］センター角度（身体の正面と左右の足の中心との間の角度）ＣＡを手順Ｍ１、Ｍ２で決定（図７）
利用者の左右の足の長手方向に指向するセンター角度ＣＡは利用者の性別によって一定の法則が経験的に実証されているので、次の手順によってこれを決定した。
【００７０】
Ｍ１．前記Ａ１の手順において入力済みの利用者の性別（ＭＭ、ＷＭ）データを採用し、男性、女性のセンター角度ＣＡを実験式に基づいてＣ．Ｐ．Ｕ１６０により算出する。
【００７１】
例えば、男性の場合には、次の式となる。
左足センター角度＝左足外転角−（左足外転角＋左足内転角）×Ｄ１
右足センター角度＝右足外転角−（右足外転角＋右足内転角）×Ｄ１
但し、Ｄ１は０．５以上で、０．６以下であり、女性の場合は０．５５以上で、０．６５以下である。
【００７２】
Ｍ２．これによりセンター角度ＣＡを決定する。
【００７３】
［４］セッティングスタンス角度ＳＡ（左右の足の相関角度）を手順Ｎ１、Ｎ２で決定（図８）
セッティングスタンス角度ＳＡについては、センター角度が決定されると共に、セッティングスタイルが決まった後に利用者の両足のスタンス角度を相関的に決めるものであって、前記セッティングスタイルに関連することが実証されているので、次のようにしてこれを決定した。
【００７４】
Ｎ１．ライディングスタイルがレギュラー又はマルチの場合と、グーフィーの場合について、Ｃ．Ｐ．Ｕ１６０においてセンター角度ＣＡに基づいて、セッティングスタンス角度ＳＡを算出する。
【００７５】
例えば、レギュラー又はマルチスタイルの場合には、
前足＝左足のセンター角度
後足＝（マイナス）−右足のセンター角度
又、グーフィースタイルの場合は、
前足＝右足のセンター角度
後足＝（マイナス）−左足のセンター角度
【００７６】
Ｎ２．以上に準じて前記のセッティングスタンス角度ＳＡを決定する。
【００７７】
［５］前後足の角度ＡＧを手順Ｐ１、Ｐ２で決定（図９）
Ｐ１．ライディングスタイルがフリースタイルの場合か否かで次のように決定される。
【００７８】
例えば、ライディングスタイルがフリースタイルの場合には、
前足角度＜１０度…後足角度＝後足センター位置
前足角度≧１０度…後足角度＝後足センター位置＋Ｅ１
フリースタイル以外であれば、
後足角度＜４０度…前足角度＝前足センター位置＋Ｅ２
後足角度≧４０度…前足角度＝前足センター位置＋Ｅ３
の如くにＣ．Ｐ．Ｕ１６０で算出する。
【００７９】
この場合、Ｅ１は５度以上で１０度以上、Ｅ２は３０度以上で４５度以下、Ｅ３は４５度以上で５５度以下が望ましい。
【００８０】
Ｐ２．これに準じて前記の両足の角度ＡＧを決定する。
【００８１】
以上の手順により、算出されたセッティングスタイルＳＴ、スタンス巾ＳＳ、センター角度ＣＡ、セッティングスタンス角度ＳＡ等は、プリンタ１７０によりプリントアウトできるものである。
【００８２】
尚、前記した各手順については、操作指令部１９０によって、シーケンシャルに順次決定し、その結果を一括してプリントアウトすることにより、利用者に最適のバインディングの取り付け条件が一挙にプリントアウトされ、効率的に購入又はレンタルできるものであるが、操作指令部１９０により、スタンス巾、スタンス角度等を個別的に出力して利用者の望む最適な条件を適宜決定できることは設計上、言うまでもないことである。
【００８３】
２．バランサー２００による決定
次に、スタンサー１００に代わるバランサー２００による利用者の最適なスタンスの設定について説明するが、スタンス巾の決定はスタンサー１００で実施するので共通しており、省略する。
【００８４】
従って、次の手順で行われることとなる。
【００８５】
［１］セッティングスタイル及びセッティング角度を手順Ｒ１１〜Ｒ１４で決定（図１０）
Ｒ１１．利用者がバランスボード２２０に設けた計測ディスク２７０、２８０上で前後左右方向にバランスボード２２０を数回傾動させる。
Ｒ１２．バランスボード２２０の安定化してセッティングスタイルが決定される。
Ｒ１３．セッティング角度を少しずつ変えて補正する。
Ｒ１４．Ｒ１３において、タッチセンサー２９１、２９２がＯＮになっているため、角度補正したセッティング角度の内で最も長時間タッチセンサー２９１、２９２がＯＦＦの続く場合がバランスボード２２０のバランスが取れていることになり、その角度をＣ．Ｐ．Ｕ３００のデータ処理手段で算出してセッティング角度を最終決定する。
【００８６】
以上のように、科学的、理論的にセッティングされたスノーボードスポーツにあっては、利用者による怪我の発生は殆ど報告されておらず、更には、利用者のスノーボーディング能力レベルは飛躍的に向上されることが各種検定結果において実証されている。
【００８７】
尚、スノーボードのレンタルに当たって、例えば、修学旅行、その他グループ毎にレンタルする際には、予め前記したスタンサーやバランサーによって利用者の身体特性やバランス能力を測定しておけば、レンタルショップで効率的に貸与を受けることができることは言うまでもない。
【００８８】
【発明の効果】
以上説明したこの発明による特有の効果は次の如くである。
【００８９】
▲１▼  スノーボード上に利用者の身体的特性に適合したバイディングの設定ができる。
【００９０】
▲２▼  スノーボード上に利用者の性別、もしくは年齢又は性別に芳しいバインディングの設定ができる。
【００９１】
▲３▼  利用者の体質に応じたスノーボードのライディングスタイルを選定できる。
【００９２】
▲４▼  利用者に適合したスノーボーディングが行えるため、身体上に無理な負担が与えられることがなく、怪我や事故の発生を未然防止できる。
【００９３】
▲５▼  利用者に適合したスノーボーディングが行えるため、そのスノーボーディング技能が飛躍的に向上できる。
【図面の簡単な説明】
【図１】スタンサーの機能ブロック図。
【図２】図１のスタンサーの平面図。
【図３】バランサーの機能ブロック図。
【図４】図３のバランサーの平面図。
【図５】セッティングスタイル決定のフローチャート。
【図６】スタンス巾決定のフローチャート。
【図７】センター角度決定のフローチャート。
【図８】セッティングスタンス角度決定のフローチャート。
【図９】前後足の角度決定のフローチャート。
【図１０】バランサーによる決定のフローチャート。
【符号の説明】
１００            スタンサー
１１０            基台
１２０、１３０    回転ディスク
１６０、３００    情報処理手段（Ｃ．Ｐ．Ｕ）
２００            バランサー
２２０            バランスボード
２７０、２８０    測定ディスク
【図１】
2005013550.tif 000003
【図２】
2005013550.tif 000004
【図３】
2005013550.tif 000005
【図４】
2005013550.tif 000006
【図５】
2005013550.tif 000007
【図６】
2005013550.tif 000008
【図７】
2005013550.tif 000009
【図８】
2005013550.tif 000010
【図９】
2005013550.tif 000011
【図１０】
2005013550.tif 000012